(57)【特許請求の範囲】
【請求項１】
天板の下方に配置される複数の脚柱の上部間に、上部の天板を支持する天板支持杆が配設されてなるテーブルにおける脚柱と天板支持杆との連結構造であって、
前記脚柱の上端部に、上部に天板を支持する円盤状のフランジ部を有する円柱状の天板受座が設けられ、また、前記天板支持杆の両先端部における上部所定箇所に段部が形成されるとともに、前記先端部の端面、もしくは前記段部側面の少なくともいずれか一方に湾曲面が形成されており、前記天板支持杆の先端部を前記フランジ部下方に配置し、前記少なくともいずれか一方の湾曲面を天板受座の外周面、もしくはフランジ部の外周面に当接させた状態で、前記天板支持杆の先端部とフランジ部とを固定ねじで固定できるようになっていることを特徴とするテーブルにおける脚柱と天板支持杆との連結構造。
【請求項２】
前記天板受座の外周面所定箇所に、前記天板支持杆の先端部を嵌合可能な凹溝が環状に形成されている請求項１に記載のテーブルにおける脚柱と天板支持杆との連結構造。
【請求項３】
前記固定ねじを挿通もしくは螺入可能な孔部が、前記フランジ部の外周に沿って複数形成されている請求項１または２に記載のテーブルにおける脚柱と天板支持杆との連結構造。
【請求項４】
前記天板支持杆の両端部が屈曲形成され、中腹部が前記天板の内方に張り出すようになっている請求項１〜３のいずれかに記載のテーブルにおける脚柱と天板支持杆との連結構造。
【発明の詳細な説明】
【０００１】
【発明の属する技術分野】
本発明は、テーブルの組立構造、特には、脚柱と天板支持杆との連結構造に関する。
【０００２】
【従来の技術】
従来、特に大型のテーブルにあっては、天板の撓みを防止するために、複数の脚柱の上部間を天板支持杆により連結して、その上部に天板を載置するようにしている。
【０００３】
このようなテーブルにおける脚柱と天板支持杆との連結構造は、例えば実公昭６３−２６０３２号公報や、実公平５−２５４６１号公報等に開示されており、前者では、脚柱もしくは脚柱の上部に設けられた支持部材の側面に嵌合穴を設け、天板支持杆の端部を側方から嵌合させ、ボルト等で固定しており、また後者では、脚柱もしくは支持部材に設けた突起部を、管状の天板支持杆内に挿入し、ボルト等で固定することで、脚柱と天板支持杆とを連結するようになっている。
【０００４】
【発明が解決しようとする課題】
しかしながら、上述のような脚柱と天板支持杆との連結構造にあっては、脚柱もしくは支持部材の嵌合穴に天板支持杆の端部を嵌合させたり、脚柱もしくは支持部材に設けた突起部を天板支持杆内に挿入させることで両者が取付けられることから、脚柱もしくは支持部材に、予め連結用の嵌合穴や突起部等を設けるため、形状が複雑化し、製造コストが高くなるといった問題があった。
【０００５】
本発明は、このような問題点に着目してなされたもので、脚柱と天板支持杆との構造を複雑化することなく、連結を容易に行える天板における脚柱と天板支持杆との連結構造を提供することを目的とする。
【０００６】
【課題を解決するための手段】
上記課題を解決するために、本発明のテーブルにおける脚柱と天板支持杆との連結構造は、天板の下方に配置される複数の脚柱の上部間に、上部の天板を支持する天板支持杆が配設されてなるテーブルにおける脚柱と天板支持杆との連結構造であって、
前記脚柱の上端部に、上部に天板を支持する円盤状のフランジ部を有する円柱状の天板受座が設けられ、また、前記天板支持杆の両先端部における上部所定箇所に段部が形成されるとともに、前記先端部の端面、もしくは前記段部側面の少なくともいずれか一方に湾曲面が形成されており、前記天板支持杆の先端部を前記フランジ部下方に配置し、前記少なくともいずれか一方の湾曲面を天板受座の外周面、もしくはフランジ部の外周面に当接させた状態で、前記天板支持杆の先端部とフランジ部とを固定ねじで固定できるようになっていることを特徴としている。
この特徴によれば、天板支持杆と天板受座との連結時において、天板支持杆の先端部端面、もしくは段部側面の少なくともいずれか一方の湾曲面を、円柱状の天板受座の外周面、もしくは円盤状のフランジ部の外周面に当接させることで、天板支持杆の先端部とフランジ部との横ずれが防止されるため、天板支持杆の先端部とフランジ部とのねじ固定が容易となる。また、天板受座に形成されるフランジ部により天板の安定性が向上するばかりか、このフランジ部を利用して天板支持杆の連結ができるため、天板受座や天板支持杆の形状が複雑化して、製造コストが高くなることがない。
【０００７】
本発明のテーブルにおける脚柱と天板支持杆との連結構造は、前記天板受座の外周面所定箇所に、前記天板支持杆の先端部を嵌合可能な凹溝が環状に形成されていることが好ましい。
このようにすれば、天板支持杆の先端部の上下の移動が規制されるので、組立時おける天板支持杆の位置決めが容易になるばかりか、天板支持杆の落下を効果的に防止できる。
【０００８】
本発明のテーブルにおける脚柱と天板支持杆との連結構造は、前記固定ねじを挿通もしくは螺入可能な孔部が、前記フランジ部の外周に沿って複数形成されていることが好ましい。
このようにすれば、フランジ部の孔部に選択的に固定ねじを螺入、もしくは挿通し連結部材を固定できるので、フランジ部に対する天板支持杆の連結位置を任意に変更できるばかりか、１本の脚柱の天板受座に対して複数の天板支持杆を連結できる。
【０００９】
本発明のテーブルにおける脚柱と天板支持杆との連結構造は、前記天板支持杆の両端部が屈曲形成され、中腹部が前記天板の内方に張り出すようになっていることが好ましい。
このようにすれば、天板支持杆の中腹部が天板の内方を支持するようになるため、天板内方の撓みを効果的に防止できる。
【００１０】
【発明の実施の形態】
以下、本発明の実施例を図面に基づいて説明すると、まず図１には本発明の適用されたテーブル１が示されており、２は天板、３は天板受座９を介して天板２を支持する脚柱をそれぞれ示しており、天板２の左右側を支持する前後の脚柱３、３間、及び天板２の後方を支持する後部左右の脚柱３、３間には、幕板４が配設されている。
【００１１】
天板２は、図１、２に示されるような形状に形成されており、その裏面所定箇所には、後述する固定ボルト１４を螺入可能な雌ねじ部２ａ（図５参照）が形成されており、後述する天板受座９のフランジ部１０及び補強フレーム５の上部に載置され、固定ボルト１４で固定されている。
【００１２】
脚柱３は、図３に示されるように中空の管状に形成されており、その上端部には、天板受座９の固定ボルト１２を螺入可能な雌ねじ部３ａが形成されている。
【００１３】
天板受座９は、図３に示されるように天板２を支持する円盤状のフランジ部１０と、その下部に形成された円柱部１１とから構成されている。
【００１４】
フランジ部１０には、図３、４に示されるように、天板２の固定ボルト１４を挿通可能な挿通孔１０ａが外周に沿って等間隔に４箇所形成されており、図５に示されるように、フランジ部１０の下面における挿通孔１０ａの周囲には、固定ボルト１４の頭部を収容可能な凹部１０ｂが形成されている。
【００１５】
また、フランジ部１０には、連結部材８の固定ボルト１３を挿通可能な挿通孔１０ｃが外周に沿って等間隔に８箇所形成されており、フランジ部１０の上面における挿通孔１０ｃの周囲には、固定ボルト１３の頭部を収容可能な凹部１０ｄが形成されている。
【００１６】
円柱部１１の外周面上部には、図３、５に示されるように、後述する連結部材８の先端部の高さとほぼ等しい上下幅を有する環状の凹溝１１ａが形成されている。
【００１７】
フランジ部１０の上面中央には凹部１０ｅが形成されており、この凹部１０ｅの底面には、脚柱３の取付け用の固定ボルト１２を挿通可能な挿通孔１１ｃが形成されている。また、円柱部１１の下面には、脚柱３の上端部を嵌合可能な凹部１１ｂが形成されている。
【００１８】
このように形成された天板受座９の凹部１１ｂ内に脚柱３の上端部が嵌入され、凹部１０ｅの上方から固定ボルト１２を挿通孔１１ｃを介して雌ねじ部３ａに螺入・締結することにより、天板受座９が脚柱３に固定されている。なお、固定ボルト１２の頭部は凹部１０ｅ内に収容されているため、天板２に干渉することがない。
【００１９】
図２に示される５は、天板２の下面を支持する補強フレームであり、この補強フレーム５は、前後の脚柱３の上端部に取り付けられる天板受座９に連結されるサイドフレーム６と、この左右のサイドフレーム６同士の略中央部を連結する連結フレーム７とから構成されている。
【００２０】
これらサイドフレーム６は、断面略方形に形成された管状のフレーム部材６ａと、その両端部に取付けられる連結部材８と、から構成されており、図２に示されるように、連結部材８は略Ｌ字形に屈曲形成され、フレーム部材６ａが天板２の内方に張り出すようになっている。
【００２１】
連結部材８の一方の端部には、図３に示されるように、フレーム部材６ａの端部開口に嵌入可能で、かつ下部に固定ボルト１５を螺入可能な雌ねじ部８ｂを有する嵌入部８ａが形成されており、フレーム部材６ａの下面に形成された挿通孔６ｂを介して、固定ボルト１５を雌ねじ部８ｂに螺入・締結することにより、連結部材８がフレーム部材６ａの両端部に一体に固定されている。
【００２２】
連結部材８は、その先端部８ｃが肉薄となるように、上部が一部切欠かれて所定箇所に段部８ｇが形成されており、この段部８ｇの側面は、図３、４に示されるように、天板受座９への取付け時にフランジ部１０の外周面に当接可能な湾曲面８ｄとなっている。
【００２３】
また、連結部材８における先端部８ｃの端面には、図３、４に示されるように、天板受座９への取付け時に凹溝１１ａの底面に当接可能な湾曲面８ｅが形成されている。さらに、先端部８ｃには、図３〜５に示されるように、天板受座９への取付け時に隣りあう一対の挿通孔１０ｃに連通し、固定ボルト１３を螺入可能な一対の雌ねじ部８ｆが形成されている。
【００２４】
ここで上述のように形成されたサイドフレーム６と天板受座９との連結方法について説明する。
【００２５】
まず、サイドフレーム６の端部の連結部材８を、その先端部８ｃの上面がフランジ部１０の下面に当接するように配置する。この際、図４に示されるように、湾曲面８ｄが円盤状のフランジ部１０の外周面に、湾曲面８ｅが円柱部１１の外周面を成す凹溝１１ａの底面にそれぞれ当接するので、連結部材８の先端部８ｃとフランジ部１０との横ずれが防止され、連結部材８をフランジ部１０下面の所定位置に容易に配置できる。
【００２６】
次いで、所望の挿通孔１０ｃと雌ねじ部８ｆとが連通するように連結部材８の位置を調整する。この際、湾曲面８ｄ、８ｅが当接した状態で連結部材８を移動できるため、挿通孔１０ｃと雌ねじ部８ｆとの位置合わせを容易に行うことができる。
【００２７】
最後に、固定ボルト１３をフランジ部１０の上方から挿通孔１０ｃを介して雌ねじ部８ｆに螺入・締結することで両者が固定され、サイドフレーム６と天板受座９とが連結されることとなる。この際、図５に示されるように、固定ボルト１３の頭部が凹部１０ｄ内に収容されるので、固定ボルト１３の頭部がフランジ部１０の上面に突出することがなく、天板２と干渉することがない。
【００２８】
また本実施例では、図５に示されるように、配置時において連結部材８の先端部８ｃが円柱部１１の凹溝１１ａ内に嵌入されるようになっており、連結部材８の上下の移動が規制されるので、組立時おける連結部材８の位置決めが容易になるばかりか、一度配置すると連結部材８の先端部８ｃが凹溝１１ａに仮固定されるので、サイドフレーム６の落下を効果的に防止できる。
【００２９】
また、天板受座９の上部を成すフランジ部１０により、天板２の安定性が向上するばかりか、このフランジ部１０を利用してサイドフレーム６の連結ができるため、天板受座９やサイドフレーム６の形状が複雑化して、製造コストが高くなることがない。
【００３０】
また、略Ｌ字形に屈曲形成された連結部材８により、フレーム部材６ａが内方に張り出すようにして天板２を支持するため、天板２における内方の撓みを効果的に防止できる。
【００３１】
さらに、本実施例のフランジ部１０には、その外周に沿って８箇所の挿通孔１０ｃが形成されており、適宜これらの挿通孔１０ｃを選択することにより、例えば、長テーブル等を構成する際に、図６に示されるように、任意の一対の挿通孔１０ｃを利用することで、連結部材８’の連結位置を所望の位置に変更でき、かつ天板受座９に対して複数のサイドフレーム６’の連結部材８’を連結できるようになっている。
【００３２】
以上、本発明の実施例を図面により説明してきたが、具体的な構成はこれら実施例に限られるものではなく、本発明の要旨を逸脱しない範囲における変更や追加があっても本発明に含まれる。
【００３３】
例えば上記実施例では、連結部材８の先端部８ｃの端面に形成された湾曲面８ｅが円柱部１１の外周面を成す凹溝１１ａの底面に、また、連結部材８の段部８ｇの側面に形成された湾曲面８ｄがフランジ部１０の外周面にそれぞれ当接するように形成されているが、本発明はこれに限定されるものではなく、少なくとも連結部材８の先端部８ｃの端面、もしくは段部８ｇの側面のいずれか一方に湾曲面が、円柱部１１の外周面、もしくはフランジ部１０の外周面に当接するように形成されていれば良い。
【００３４】
さらに、これら湾曲面８ｄ、８ｅは、連結部材８の先端部側面及び切欠部８ｃの側面全体にわたって形成されている必要はなく、少なくともその一部に形成されていれば良く、例えば、中央に切欠き等が形成されていても良い。
【００３５】
また、上記実施例におけるフランジ部１０には、固定ボルト１３の挿通孔１０ｃが外周に沿って８箇所に設けられているが、テーブルの形状等により、その形成位置やその数は適宜選択可能である。
【００３６】
【発明の効果】
本発明は以下の効果を奏する。
【００３７】
（ａ）請求項１項の発明によれば、天板支持杆と天板受座との連結時において、天板支持杆の先端部端面、もしくは段部側面の少なくともいずれか一方の湾曲面を、円柱状の天板受座の外周面、もしくは円盤状のフランジ部の外周面に当接させることで、天板支持杆の先端部とフランジ部との横ずれが防止されるため、天板支持杆の先端部とフランジ部とのねじ固定が容易となる。また、天板受座に形成されるフランジ部により天板の安定性が向上するばかりか、このフランジ部を利用して天板支持杆の連結ができるため、天板受座や天板支持杆の形状が複雑化して、製造コストが高くなることがない。
【００３８】
（ｂ）請求項２項の発明によれば、天板支持杆の先端部の上下の移動が規制されるので、組立時おける天板支持杆の位置決めが容易になるばかりか、天板支持杆の落下を効果的に防止できる。
【００３９】
（ｃ）請求項３項の発明によれば、フランジ部の孔部に選択的に固定ねじを螺入、もしくは挿通し連結部材を固定できるので、フランジ部に対する天板支持杆の連結位置を任意に変更できるばかりか、１本の脚柱の天板受座に対して複数の天板支持杆を連結できる。
【００４０】
（ｄ）請求項４項の発明によれば、天板支持杆の中腹部が天板の内方を支持するようになるため、天板内方の撓みを効果的に防止できる。
【図面の簡単な説明】
【図１】本発明の適用されたテーブルを示す斜視図である。
【図２】図１のテーブルの上面図である。
【図３】図１のテーブルにおける脚柱と天板支持杆の連結構造を示す分解斜視図である。
【図４】図１のテーブルにおける天板受座及び天板支持杆の下面図である。
【図５】図１のテーブルの一部破断側面図である。
【図６】本発明の変形例における天板受座及び天板支持杆の下面図である。
【符号の説明】
１              テーブル
２              天板
２ａ            雌ねじ部
３              脚柱
４              幕板
５              補強フレーム（天板支持杆）
６              サイドフレーム（天板支持杆）
６ａ            フレーム部材
６ｂ            挿通孔
７              連結フレーム（天板支持杆）
８              連結部材
８ａ            嵌入部
８ｂ            雌ねじ部
８ｃ            先端部
８ｄ、８ｅ      湾曲面
８ｆ            雌ねじ部
８ｇ            段部
９              天板受座
１０            フランジ部
１０ａ、１０ｃ  挿通孔
１０ｂ、１０ｄ  凹部
１０ｅ          凹部
１１            柱状部
１１ａ          凹溝
１１ｂ          凹部
１１ｃ          挿通孔
１２〜１５      固定ボルト（固定ねじ）
【図１】
0004199393.tif 000002
【図２】
0004199393.tif 000003
【図３】
0004199393.tif 000004
【図４】
0004199393.tif 000005
【図５】
0004199393.tif 000006
【図６】
0004199393.tif 000007